(57)【要約】    【課題】  高ズーム比でズーム全域で良好な光学特性が得られるズームレンズを得ること。    【解決手段】  正の第１レンズ群、負の第２レンズ群、正の第３レンズ群、後群より構成され、ズーミングに際して隣り合うレンズ群の間隔が変化するズームレンズであり、後群は正の屈折力のレンズ群ＬＲを有し、レンズ群ＬＲは１枚以上の正レンズと１枚以上の負レンズを有し、広角端から望遠端へのズーミングの際、第１レンズ群は物体側へ、レンズ群ＬＲは像側に移動し、ズーミングの際のレンズ群ＬＲの移動量ＭＲ、広角端におけるレンズ全長ＴＬｗ、広角端における第１レンズ群と第２レンズ群の光軸上の間隔Ｄ１２ｗ、望遠端における第１レンズ群と第２レンズ群の光軸上の間隔Ｄ１２ｔ、ＭＲの符号は広角端に比べて望遠端において像側に位置するときを正、物体側に位置するときを負とし、各々適切に設定する。【選択図】    図１
2019028212.tif 000002
【特許請求の範囲】
【請求項１】
物体側から像側へ順に配置された、正の屈折力の第１レンズ群、負の屈折力の第２レンズ群、正の屈折力の第３レンズ群、１つ以上のレンズ群を含む後群より構成され、
ズーミングに際して隣り合うレンズ群の間隔が変化するズームレンズであって、前記後群は正の屈折力のレンズ群ＬＲを有し、前記レンズ群ＬＲは１枚以上の正レンズと１枚以上の負レンズを有し、広角端から望遠端へのズーミングの際に、前記第１レンズ群は物体側へ、前記レンズ群ＬＲは像側に移動し、
広角端から望遠端へのズーミングの際の前記レンズ群ＬＲの移動量をＭＲ、広角端におけるレンズ全長をＴＬｗ、広角端における第１レンズ群と第２レンズ群の光軸上の間隔をＤ１２ｗ、望遠端における第１レンズ群と第２レンズ群の光軸上の間隔をＤ１２ｔ、ＭＲの符号は広角端に比べて望遠端において像側に位置するときを正、物体側に位置するときを負とするとき、
０．１３＜ＭＲ／ＴＬｗ＜０．６０
０．００１＜Ｄ１２ｗ／Ｄ１２ｔ＜０．２００
なる条件式を満足することを特徴とするズームレンズ。
【請求項２】
前記レンズ群ＬＲに含まれる正レンズの内、材料のｄ線に対するアッベ数が最も大きな材料よりなる正レンズＬＲＰは材料の異常部分分散比をＰΔθｇＦとするとき、
０．０＜ＰΔθｇｆ＜０．３
なる条件式を満たすことを特徴とする請求項１に記載のズームレンズ。
【請求項３】
前記レンズ群ＬＲに含まれる負レンズの内、材料のｄ線に対するアッベ数が最も小さな材料よりなる負レンズＬＲＮは材料の異常部分分散比をＮΔθｇＦとするとき、
−０．３＜ＮΔθｇｆ＜０．０
なる条件式を満たすことを特徴とする請求項１または２に記載のズームレンズ。
【請求項４】
望遠端におけるバックフォーカスをＤＬＲｔ、広角端におけるバックフォーカスをＤＬＲｗとするとき、
０．０＜ＤＬＲｔ／ＤＬＲｗ＜０．４
なる条件式を満たすことを特徴とする請求項１乃至３のいずれか１項に記載のズームレンズ。
【請求項５】
広角端から望遠端へのズーミングの際の前記第１レンズ群の移動量をＭ１とするとき、
０．２５＜−Ｍ１／ＴＬｗ＜０．５５
なる条件式を満たすことを特徴とする請求項１乃至４のいずれか１項に記載のズームレンズ。
【請求項６】
前記第３レンズ群の物体側に開口絞りを有し、望遠端における前記第２レンズ群の最も像側のレンズ面から前記開口絞りまでの距離をＧＳＴｔ、広角端における前記第２レンズ群の最も像側のレンズ面から前記開口絞りまでの距離をＧＳＴｗとするとき、
０．０２＜ＧＳＴｔ／ＧＳＴｗ＜０．１０
なる条件式を満たすことを特徴とする請求項１乃至５のいずれか１項に記載のズームレンズ。
【請求項７】
広角端におけるバックフォーカスをＤＬＲｗ、広角端における全系の焦点距離をｆｗとするとき、
０．３＜ＤＬＲｗ／ｆｗ＜０．９
なる条件式を満たすことを特徴とする請求項１乃至６のいずれか１項に記載のズームレンズ。
【請求項８】
望遠端におけるバックフォーカスをＤＬＲｔ、望遠端における全系の焦点距離をｆｔとするとき、
０．０１５＜ＤＬＲｔ／ｆｔ＜０．１００
なる条件式を満たすことを特徴とする請求項１乃至７のいずれか１項に記載のズームレンズ。
【請求項９】
広角端におけるバックフォーカスをＤＬＲｗとするとき、
０．１５＜ＤＬＲｗ／ＴＬｗ＜０．４５
なる条件式を満たすことを特徴とする請求項１乃至８のいずれか１項に記載のズームレンズ。
【請求項１０】
望遠端におけるバックフォーカスをＤＬＲｔ、望遠端におけるレンズ全長をＴＬｔとするとき、
０．０２＜ＤＬＲｔ／ＴＬｔ＜０．１０
なる条件式を満たすことを特徴とする請求項１乃至９のいずれか１項に記載のズームレンズ。
【請求項１１】
前記レンズ群ＬＲの焦点距離をｆＬＲとするとき、
０．１＜ＭＲ／ｆＬＲ＜０．４
なる条件式を満たすことを特徴とする請求項１乃至１０のいずれか１項に記載のズームレンズ。
【請求項１２】
前記第１レンズ群の焦点距離をｆ１、望遠端における全系の焦点距離をｆｔとするとき、
１．０＜ｆｔ／ｆ１＜２．５
なる条件式を満たすことを特徴とする請求項１乃至１１のいずれか１項に記載のズームレンズ。
【請求項１３】
前記第２レンズ群の焦点距離をｆ２、広角端における全系の焦点距離をｆｗとするとき、
１．５＜ｆｗ／ｆ２＜３．０
なる条件式を満たすことを特徴とする請求項１乃至１２のいずれか１項に記載のズームレンズ。
【請求項１４】
前記レンズ群ＬＲの焦点距離をｆＬＲ、広角端における全系の焦点距離をｆｗとするとき、
０．３＜ｆｗ／ｆＬＲ＜０．７
なる条件式を満たすことを特徴とする請求項１乃至１３のいずれか１項に記載のズームレンズ。
【請求項１５】
前記レンズ群ＬＲは前記後群の最も像側に配置されていることを特徴とする請求項１乃至１４のいずれか１項に記載のズームレンズ。
【請求項１６】
前記後群は正の屈折力の第４レンズ群より構成されることを特徴とする請求項１乃至１５のいずれか１項に記載のズームレンズ。
【請求項１７】
前記後群は物体側から像側へ順に配置された、正の屈折力の第４レンズ群、正の屈折力の第５レンズ群からなり、前記レンズ群ＬＲは前記第４レンズ群であることを特徴とする請求項１乃至１５のいずれか１項に記載のズームレンズ。
【請求項１８】
前記後群は物体側から像側へ順に配置された、正の屈折力の第４レンズ群、負の屈折力の第５レンズ群、正の屈折力の第６レンズ群からなり、前記レンズ群ＬＲは前記第６レンズ群であることを特徴とする請求項１乃至１５のいずれか１項に記載のズームレンズ。
【請求項１９】
請求項１乃至１８のいずれか１項に記載のズームレンズと、該ズームレンズによって形成される像を受光する撮像素子とを有していることを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置に好適なものである。
【背景技術】
【０００２】
近年、撮像素子を用いた撮像装置は高機能化され、又装置全体が小型化されている。そしてそれに用いる撮像光学系としてはレンズ全長が短く、コンパクト（小型）で、全ズーム範囲にわたり高い光学性能を有するズームレンズであること等が要求されている。これらの要求に応えるズームレンズとして最も物体側に正の屈折力のレンズ群を配置したポジティブリード型のズームレンズが知られている（特許文献１、２）。
【０００３】
特許文献１では、物体側から像側へ順に正、負、正、正の屈折力の第１レンズ群乃至第４レンズ群からなる４群構成のズームレンズにおいて、ズーミングの際に各レンズ群の間隔を変化させている。そして第１レンズ群の屈折力と光学材料を適切に設定したズームレンズを開示している。
【０００４】
また、特許文献２では、物体側から像側へ順に正、負、正、負、正の屈折力の第１レンズ群乃至第５レンズ群からなる５群構成のズームレンズにおいて、ズーミングに際して各レンズ群の間隔を変化させたズームレンズを開示している。特許文献２では第１レンズ群と第４レンズ群の屈折力、ならびにズーミングに際の第４レンズ群と、第４レンズ群に隣接するレンズ群との間隔を適切に設定したズームレンズを開示している。
【先行技術文献】
【特許文献】
【０００５】
【特許文献１】特開２０１０−２１７６７１号公報
【特許文献２】特開２０１３−８８７３７号公報
【発明の概要】
【発明が解決しようとする課題】
【０００６】
ポジティブリード型のズームレンズは全系の小型化を図りつつ、高ズーム比化を図ることが比較的容易である。一般にズームレンズは、ズームレンズがもつ本質的な収差に加えて、ズーミングの際には各レンズ群の間隔の変動に伴う色収差や球面収差をはじめとする諸収差が変動してくる。そのため、ズームレンズを構成するときには、ズームタイプ（レンズ群の数や各レンズ群の屈折力の符号）や、ズームレンズを構成する各レンズ群の屈折力、ならびにそれらのズーミングに際しての移動条件等を適切に設定することが重要となる。
【０００７】
特にポジティブリード型のズームレンズでは、前方のレンズ群にて発生した収差が後方のレンズ群によって拡大される。このため、後方のレンズ群のレンズ構成を適切に設定することが重要になってくる。
【０００８】
本発明は、高ズーム比でズーム全域で良好な光学特性が得られるズームレンズ及びそれを有する撮像装置の提供を目的とする。
【課題を解決するための手段】
【０００９】
本発明のズームレンズは、物体側から像側へ順に配置された、正の屈折力の第１レンズ群、負の屈折力の第２レンズ群、正の屈折力の第３レンズ群、１つ以上のレンズ群を含む後群より構成され、
ズーミングに際して隣り合うレンズ群の間隔が変化するズームレンズであって、前記後群は正の屈折力のレンズ群ＬＲを有し、前記レンズ群ＬＲは１枚以上の正レンズと１枚以上の負レンズを有し、広角端から望遠端へのズーミングの際に、前記第１レンズ群は物体側へ、前記レンズ群ＬＲは像側に移動し、
広角端から望遠端へのズーミングの際の前記レンズ群ＬＲの移動量をＭＲ、広角端におけるレンズ全長をＴＬｗ、広角端における第１レンズ群と第２レンズ群の光軸上の間隔をＤ１２ｗ、望遠端における第１レンズ群と第２レンズ群の光軸上の間隔をＤ１２ｔ、ＭＲの符号は広角端に比べて望遠端において像側に位置するときを正、物体側に位置するときを負とするとき、
０．１３＜ＭＲ／ＴＬｗ＜０．６０
０．００１＜Ｄ１２ｗ／Ｄ１２ｔ＜０．２００
なる条件式を満足することを特徴としている。
【発明の効果】
【００１０】
本発明によれば、高ズーム比でズーム全域で良好な光学特性が得られるズームレンズが得られる。
【図面の簡単な説明】
【００１１】
【図１】（Ａ）、（Ｂ）、（Ｃ）  実施例１の広角端、中間ズーム位置、望遠端におけるレンズ断面図
【図２】（Ａ）、（Ｂ）、（Ｃ）  実施例１の広角端、中間ズーム位置、望遠端における収差図
【図３】（Ａ）、（Ｂ）、（Ｃ）  実施例２の広角端、中間ズーム位置、望遠端におけるレンズ断面図
【図４】（Ａ）、（Ｂ）、（Ｃ）  実施例２の広角端、中間ズーム位置、望遠端における収差図
【図５】（Ａ）、（Ｂ）、（Ｃ）  実施例３の広角端、中間ズーム位置、望遠端におけるレンズ断面図
【図６】（Ａ）、（Ｂ）、（Ｃ）  実施例３の広角端、中間ズーム位置、望遠端における収差図
【図７】（Ａ）、（Ｂ）、（Ｃ）  実施例４の広角端、中間ズーム位置、望遠端におけるレンズ断面図
【図８】（Ａ）、（Ｂ）、（Ｃ）  実施例４の広角端、中間ズーム位置、望遠端における収差図
【図９】本発明の撮像装置の要部概略図
【発明を実施するための形態】
【００１２】
本発明のズームレンズは、物体側より像側へ順に配置された、正の屈折力の第１レンズ群、負の屈折力の第２レンズ群、正の屈折力の第３レンズ群、１つ以上のレンズ群を含む後群より構成されている。ズーミングに際して、隣り合うレンズ群の間隔が変化する。
【００１３】
図１（Ａ）、（Ｂ）、（Ｃ）は本発明の実施例１のズームレンズの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの広角端、中間のズーム位置、望遠端における収差図である。実施例１はズーム比４．１１、Ｆナンバー４．１６〜５．８３程度のズームレンズである。
【００１４】
図３（Ａ）、（Ｂ）、（Ｃ）は本発明の実施例２のズームレンズの広角端、中間のズーム位置、望遠端におけるレンズ断面図である。図４（Ａ）、（Ｂ）、（Ｃ）はそれぞれ実施例２のズームレンズの広角端、中間のズーム位置、望遠端における収差図である。実施例２はズーム比４．０８、Ｆナンバー３．９９〜５．８３程度のズームレンズである。
【００１５】
図５（Ａ）、（Ｂ）、（Ｃ）は本発明の実施例３のズームレンズの広角端、中間のズーム位置、望遠端におけるレンズ断面図である。図６（Ａ）、（Ｂ）、（Ｃ）はそれぞれ実施例３のズームレンズの広角端、中間のズーム位置、望遠端における収差図である。実施例３はズーム比４．０７、Ｆナンバー４．１６〜５．８３程度のズームレンズである。
【００１６】
図７（Ａ）、（Ｂ）、（Ｃ）は本発明の実施例４のズームレンズの広角端、中間のズーム位置、望遠端におけるレンズ断面図である。図８（Ａ）、（Ｂ）、（Ｃ）はそれぞれ実施例４のズームレンズの広角端、中間のズーム位置、望遠端における収差図である。実施例４はズーム比４．０８、Ｆナンバー４．１６〜５．８３程度のズームレンズである。図９は本発明の撮像装置の要部概略図である。
【００１７】
各実施例のズームレンズはビデオカメラ、デジタルカメラ、ＴＶカメラ、監視用カメラ、等の撮像装置に用いられる撮像光学系である。レンズ断面図において、左方が被写体側（物体側）（前方）で、右方が像側（後方）である。レンズ断面図において、Ｌ０はズームレンズである。ｉは物体側からのレンズ群の順番を示し、Ｌｉは第ｉレンズ群である。ＧＬＲは１つ以上のレンズ群を含む後群である。ＬＲは後群ＧＬＲに含まれる正の屈折力のレンズ群である。ＳＰは開口絞りである。
【００１８】
ＩＰは像面であり、ビデオカメラやデジタルスチルカメラの撮影光学系として使用する際にはＣＣＤセンサやＣＭＯＳセンサ等の撮像素子（光電変換素子）が置かれる。矢印は広角端から望遠端へのズーミングに際しての各レンズ群の移動軌跡を示す。フォーカスに関する矢印は無限遠から近距離へのフォーカシングに際してのレンズ群の移動方向を示している。
【００１９】
実施例１、４において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群、Ｌ６は正の屈折力の第６レンズ群である。後群ＧＬＲは第４レンズ群Ｌ４乃至第６レンズ群Ｌ６（ＬＲ）より構成されている。第６レンズ群Ｌ６がレンズ群ＬＲに相当する。
【００２０】
実施例１、４のズームレンズは、広角端から望遠端へのズーミングに際して、第１レンズ群Ｌ１、第３レンズ群Ｌ３、第４レンズ群Ｌ４、第５レンズ群Ｌ５は物体側に単調に移動している。第２レンズ群Ｌ２は不動である。第６レンズ群Ｌ６（ＬＲ）は像側に単調に移動している。広角端に比べて望遠端での第１レンズ群Ｌ１と第２レンズ群Ｌ２との間隔は広く、第２レンズ群Ｌ２と第３レンズ群Ｌ３の間隔は狭く、第５レンズ群Ｌ５と第６レンズ群Ｌ６（ＬＲ）の間隔は広くなるようにしてズーミングを行っている。
【００２１】
実施例２において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。後群ＧＬＲは第４レンズ群Ｌ４と第５レンズ群Ｌ５より構成されている。第４レンズ群Ｌ４がレンズ群ＬＲに相当する。
【００２２】
実施例２のズームレンズは、広角端から望遠端へのズーミングに際して、第１レンズ群Ｌ１、第３レンズ群Ｌ３は物体側に単調移動し、第４レンズ群Ｌ４（ＬＲ）は像側に単調移動している。第２レンズ群Ｌ２は像側へ凸状の軌跡で移動している。第５レンズ群Ｌ５は不動である。広角端に比べて望遠端での第１レンズ群Ｌ１と第２レンズ群Ｌ２との間隔は広く、第２レンズ群Ｌ２と第３レンズ群Ｌ３の間隔は狭く、第３レンズ群Ｌ３と第４レンズ群Ｌ４（ＬＲ）の間隔は広くなるようにしてズーミングを行っている。
【００２３】
実施例３において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。後群ＧＬＲは第４レンズ群Ｌ４より構成されている。第４レンズ群がレンズ群ＬＲに相当している。
【００２４】
実施例３のズームレンズは、広角端から望遠端へのズーミングに際して、第１レンズ群Ｌ１、第３レンズ群Ｌ３は物体側に単調に移動している。第２レンズ群Ｌ２は像側へ凸状の軌跡で移動している。第４レンズ群Ｌ４（ＬＲ）は像側に単調移動している。広角端に比べて望遠端での第１レンズ群Ｌ１と第２レンズ群Ｌ２との間隔は広く、第２レンズ群Ｌ２と第３レンズ群Ｌ３の間隔は狭く、第３レンズ群Ｌ３と第４レンズ群Ｌ４（ＬＲ）の間隔は広くなるようにしてズーミングを行っている。
【００２５】
各実施例においては、一部のレンズ系を光軸に対して垂直方向の成分を含むように移動させることにより、像ぶれ補正を行っている。
【００２６】
収差図においてＦｎｏはＦナンバー、ωは半画角（度）であり、光線追跡値による画角である。球面収差図において、ｄ（実線）はｄ線（波長５８７．５６ｎｍ）、ｇ（二点鎖線）はｇ線（波長４３５．８３５ｎｍ）、Ｃ（一点鎖線）はＣ線（波長６５６．２７ｎｍ）、Ｆ（破線）はＦ線（波長４８６．１３ｎｍ）である。非点収差図において実線のΔＳはｄ線におけるサジタル像面、破線のΔＭはｄ線におけるメリディオナル像面である。歪曲収差はｄ線について示している。倍率色収差図においてｇ（二点鎖線）はｇ線、Ｃ（一点鎖線）はＣ線、Ｆ（破線）はＦ線である。
【００２７】
本発明のズームレンズは、物体側から像側へ順に配置された、正の屈折力の第１レンズ群、負の屈折力の第２レンズ群、正の屈折力の第３レンズ群、１つ以上のレンズ群を含む後群ＧＬＲより構成されている。
【００２８】
ズーミングに際して隣り合うレンズ群の間隔が変化する。後群ＧＬＲは正の屈折力のレンズ群ＬＲを有している。レンズ群ＬＲは１枚以上の正レンズと１枚以上の負レンズを有している。広角端から望遠端へのズーミングの際に、第１レンズ群Ｌ１は物体側へ、レンズ群ＬＲは像側に移動し、広角端から望遠端へのズーミングの際のレンズ群ＬＲの移動量をＭＲとする。
【００２９】
ここでレンズ群の移動量とは、広角端におけるレンズ群の光軸上の位置と望遠端におけるレンズ群の光軸上の位置の差をいう。移動量の符号は広角端に比べて望遠端において像側に位置するときを正、物体側に位置するときを負とする。
【００３０】
広角端におけるレンズ全長、すなわち最も物体側のレンズ面から像面までの距離をＴＬｗ、広角端における第１レンズ群Ｌ１と第２レンズ群Ｌ２の光軸上の間隔をＤ１２ｗ、望遠端における第１レンズ群と第２レンズ群の光軸上の間隔をＤ１２ｔとする。このとき、
０．１３＜ＭＲ／ＴＬｗ＜０．６０            ・・・（１）
０．００１＜Ｄ１２ｗ／Ｄ１２ｔ＜０．２００  ・・・（２）
なる条件式を満足する。
【００３１】
次に前述の各条件式の技術的意味について説明する。条件式（１）は、広角端から望遠端へのズーミングの際のレンズ群ＬＲの移動量と、広角端におけるレンズ全長の比を適切にするためのものである。
【００３２】
条件式（１）の下限値を下回って、レンズ群ＬＲの移動量が少なくなると、広角端において軸上収差の補正、または望遠端において軸外収差の補正が困難になる。また、広角端におけるレンズ全長が長くなるため、好ましくない。一方、条件式（１）の上限値を上回ると、レンズ群ＬＲよりも物体側に隣接して配置されたレンズ群との間隔が狭くなり、球面収差をはじめとする諸収差の補正が困難となる。
【００３３】
条件式（２）は、広角端における第１レンズ群Ｌ１と第２レンズ群Ｌ２の間隔と、望遠端における第１レンズ群Ｌ１と第２レンズ群Ｌ２の間隔の比を適切にするためのものである。望遠端における第１レンズ群Ｌ１と第２レンズ群Ｌ２の間隔を、広角端における第１レンズ群Ｌ１と第２レンズ群Ｌ２の間隔に比べて広くすることで、レンズ群Ｌ２により、広角端では軸外収差を、望遠端では軸上収差を良好に補正している。
【００３４】
条件式（２）の上限値を上回ると、広角端における第１レンズ群Ｌ１と第２レンズ群Ｌ２の間隔が広くなり、広角端において軸外収差の補正が困難となる。また、必要とする変倍作用を得ることが困難となる。条件式（２）の下限値を下回ると広角端において軸外収差を、望遠端において軸上収差を良好に補正するのが困難になる。
【００３５】
各実施例において更に好ましくは条件式（１）、（２）の数値範囲を次の如く設定するのが良い。
０．１３＜ＭＲ／ＴＬｗ＜０．３２                    ・・・（１ａ）
０．０１０＜Ｄ１２ｗ／Ｄ１２ｔ＜０．１６０          ・・・（２ａ）
更に好ましくは条件式（１ａ）、（２ａ）の数値範囲を次の如く設定するのが良い。
０．１５＜ＭＲ／ＴＬｗ＜０．３１                    ・・・（１ｂ）
０．０２０＜Ｄ１２ｗ／Ｄ１２ｔ＜０．１４０          ・・・（２ｂ）
【００３６】
以上の如く構成することにより、全ズーム領域にわたり高い光学性能を有したズームレンズが容易に得られる。
【００３７】
各実施例において更に好ましくは次の条件式のうち１つ以上を満足することがより好ましい。レンズ群ＬＲに含まれる正レンズの内、材料のｄ線に対するアッベ数が最も大きな材料よりなる正レンズＬＲＰは材料の異常部分分散比をＰΔθｇＦとする。レンズ群ＬＲに含まれる負レンズの内、材料のｄ線に対するアッベ数が最も小さな材料よりなる負レンズＬＲＮは材料の異常部分分散比をＮΔθｇＦとする。望遠端におけるバックフォーカスをＤＬＲｔ、広角端におけるバックフォーカスをＤＬＲｗとする。広角端から望遠端へのズーミングの際の第１レンズ群Ｌ１の移動量をＭ１とする。
【００３８】
第３レンズ群Ｌ３の物体側に開口絞りＳＰを有し、望遠端における第２レンズ群Ｌ２の最も像側のレンズ面から開口絞りＳＰまでの距離をＧＳＴｔ、広角端における第２レンズ群Ｌ２の最も像側のレンズ面から開口絞りＳＰまでの距離をＧＳＴｗとする。広角端におけるバックフォーカスをＤＬＲｗ、広角端における全系の焦点距離をｆｗとする。望遠端におけるバックフォーカスをＤＬＲｔ、望遠端における全系の焦点距離をｆｔとする。望遠端におけるレンズ全長（最も物体側のレンズ面から像面までの距離）をＴＬｔとする。レンズ群ＬＲの焦点距離をｆＬＲとする。
【００３９】
第１レンズ群Ｌ１の焦点距離をｆ１とする。第２レンズ群Ｌ２の焦点距離をｆ２とする。ここで材料のｄ線に対するアッベ数νｄ、部分分散比θｇＦ、異常部分分散比（異常部分分散性）ΔθｇＦは次の式で表される。ｇ線、Ｆ線、ｄ線、Ｃ線に対する材料の屈折率をそれぞれｎｇ，ｎｄ，ｎＦ，ｎＣとする。このとき以下の式で表される。
【００４０】
νｄ＝（ｎｄ−１）／（ｎＦ−ｎＣ）
θｇＦ＝（ｎｇ−ｎＦ）／（ｎＦ−ｎＣ）
ΔθｇＦ＝θｇＦ−（−１．６６５×１０−７×νｄ３＋５．２１３×１０−５×νｄ２−５．６５６×１０−３×νｄ＋０．７２７８）
【００４１】
このとき、次の条件式のうち１以上を満足するのが良い。
０．０＜ＰΔθｇｆ＜０．３              ・・・（３）
−０．３＜ＮΔθｇｆ＜０．０            ・・・（４）
０．０＜ＤＬＲｔ／ＤＬＲｗ＜０．４      ・・・（５）
０．２５＜−Ｍ１／ＴＬｗ＜０．５５      ・・・（６）
０．０２＜ＧＳＴｔ／ＧＳＴｗ＜０．１０  ・・・（７）
０．３＜ＤＬＲｗ／ｆｗ＜０．９          ・・・（８）
０．０１５＜ＤＬＲｔ／ｆｔ＜０．１００  ・・・（９）
０．１５＜ＤＬＲｗ／ＴＬｗ＜０．４５    ・・・（１０）
０．０２＜ＤＬＲｔ／ＴＬｔ＜０．１０    ・・・（１１）
０．１＜ＭＲ／ｆＬＲ＜０．４            ・・・（１２）
１．０＜ｆｔ／ｆ１＜２．５              ・・・（１３）
１．５＜ｆｗ／ｆ２＜３．０              ・・・（１４）
０．３＜ｆｗ／ｆＬＲ＜０．７            ・・・（１５）
【００４２】
次に前述の各条件式の技術的意味について説明する。条件式（３）は、レンズ群ＬＲに含まれる正レンズの内、材料のｄ線に対するアッベ数が最も大きな材料よりなる正レンズＬＲＰの材料の異常部分分散比を適切にするためのものである。ズームレンズにおいて、物体側から像側へ順に正、負、正の屈折力の第１レンズ群乃至第３レンズ群、そして、その像側の後群を正の屈折力となるレンズ構成にすると、広角端においてｇ線の倍率色収差はオーバー側に発生する。
【００４３】
そこで各実施例ではレンズ群ＬＲに含まれる正レンズＬＲＰに、異常部分分散性をもつ材料、すなわち異常部分分散比ΔθｇＦが０より大きな材料を用いて、広角端で発生する倍率色収差を良好に補正している。
【００４４】
条件式（３）の下限値を下回ると、広角端において倍率色収差の補正が困難となる。一方、条件式（３）の上限値を上回ると、広角端において倍率色収差の補正が過剰となり、好ましくない。
【００４５】
条件式（４）は、レンズ群ＬＲに含まれる負レンズの内、材料のｄ線に対するアッベ数が最も小さな材料よりなる負レンズＬＲＮの材料の異常部分分散比を適切にするためのものである。ズームレンズにおいて、物体側から像側へ順に正、負、正の屈折力の第１レンズ群乃至第３レンズ群、そして、その像側の後群を正の屈折力となるレンズ構成にすると、広角端においてｇ線の倍率色収差はオーバー側に発生する。
【００４６】
そこで各実施例ではレンズ群ＬＲに含まれる負レンズＬＲＮに、異常部分分散性をもつ材料、すなわち異常部分分散比ΔθｇＦが０より小さな材料を用いて、広角端で発生する倍率色収差を良好に補正している。条件式（４）の範囲を逸脱すると、広角端および望遠端において軸上色収差および倍率色収差の補正が困難となる。
【００４７】
条件式（５）は、望遠端におけるレンズ群ＬＲの最も像側のレンズ面から像面までの距離と、広角端におけるレンズ群ＬＲの最も像側の面から像面までの距離の比を適切にするためのものである。
【００４８】
前述のように、レンズ群ＬＲに含まれる正レンズＬＲＰの材料にΔθｇＦ＞０なる材料を使用した場合、望遠端においては、ｇ線の倍率色収差はアンダー側に発生してくる。近軸理論によれば、倍率色収差は近軸軸上光線の入射高さと瞳近軸光線の入射高さの積に比例する。この理論の下、望遠端においてレンズ群ＬＲを瞳近軸光線の入射高さが高く、近軸軸上光線の入射高さが低くなる像面付近に配置することで、望遠端での倍率色収差の増加を少なくしている。
【００４９】
そして、広角端では近軸軸上光線の入射高さと瞳近軸光線の入射高さの積が大きくなる、像面から離れた箇所にレンズ群ＬＲを配置することで倍率色収差の補正を行っている。また、レンズ群ＬＲは広角端において、レンズ群ＬＲより物体側のレンズ群より発生した諸収差を効果的に補正している。
【００５０】
ここで近軸軸上光線とは、光学系全系の焦点距離を１に正規化し、光学系の光軸と平行に、光軸からの高さ１の光を入射させたときの近軸光線である。また、瞳近軸光線とは、光学系全系の焦点距離を１に正規化し、光軸に対して−４５°で入射する光線の内、光学系の入射瞳と光軸との交点を通過する近軸光線である。
【００５１】
条件式（５）の上限値を上回ると、望遠端において倍率色収差が増加し、または広角端において倍率色収差の補正が困難となる。尚、条件式（５）の下限値を下回ることはない。
【００５２】
条件式（６）は、第１レンズ群Ｌ１の広角端から望遠端へのズーミングの際の移動量と、広角端におけるレンズ全長の比を適切にするためのものである。条件式（６）の下限値を下回り、第１レンズ群Ｌ１の移動量が小さくなると、必要とする変倍作用を得ることが困難となるため、好ましくない。また、広角端におけるレンズ全長も長くなるため、好ましくない。一方、条件式（６）の上限値を上回り、広角端におけるレンズ全長に対するレンズ群Ｌ１の移動量が大きくなりすぎると、第１レンズ群Ｌ１よりも像側のレンズ群の間隔が狭くなるため、球面収差をはじめとする諸収差の補正が困難となる。
【００５３】
条件式（７）は、望遠端における開口絞りＳＰの物体側に隣接する第２レンズ群Ｌ２の最も像側のレンズ面から開口絞りＳＰまでの距離と、広角端における第２レンズ群Ｌ２の最も像側のレンズ面から開口絞りＳＰまでの距離の比を適切にするためのものである。
【００５４】
条件式（７）の下限値を下回り、広角端での開口絞りＳＰの物体側に隣接する第２レンズ群Ｌ２と開口絞りＳＰの間隔が大きくなると、広角端でのレンズ全長が長くなるため、好ましくない。一方、条件式（７）の上限値を上回り、広角端での開口絞りＳＰの物体側に隣接する第２レンズ群Ｌ２と開口絞りＳＰの間隔が狭くなると、倍率色収差をはじめとする軸外の収差補正が困難となる。または、望遠端において開口絞りＳＰの物体側に隣接する第２レンズ群Ｌ２と開口絞りＳＰの間隔が広くなり、望遠端において軸上の収差の補正が困難となる上、必要とする変倍作用を得るのが困難になる。
【００５５】
条件式（８）は、広角端におけるレンズ群ＬＲの最も像側のレンズ面から像面までの距離と、広角端における全系の焦点距離の比を適切にするためのものである。条件式（８）の下限値を下回り、広角端におけるレンズ群ＬＲの最も像側のレンズ面から像面までの距離が短くなると、広角端において倍率色収差の補正や、球面収差を初めとする諸収差の補正が困難となる。一方、条件式（８）の上限値を上回り、広角端におけるレンズ群ＬＲの最も像側のレンズ面から像面までの距離が長くなると、広角端におけるレンズ全長が大きくなるため、好ましくない。
【００５６】
条件式（９）は、望遠端におけるレンズ群ＬＲの最も像側のレンズ面から像面までの距離と、望遠端における全系の焦点距離の比を適切にするためのものである。条件式（９）の下限値を下回り、望遠端におけるレンズ群ＬＲの最も像側のレンズ面から像面までの距離が短くなると、レンズ群ＬＲの有効径が大きくなり、光学系が大型化するため好ましくない。ここで、有効径とは、軸上光線及び軸外光線の通過範囲によって決まるレンズの径のことをいう。
【００５７】
一方、条件式（９）の上限値を上回り、望遠端におけるレンズ群ＬＲの最も像側のレンズ面から像面までの距離が長くなると、望遠端において倍率色収差をはじめとする軸外収差の補正が困難となる。
【００５８】
条件式（１０）は、広角端におけるレンズ群ＬＲの最も像側のレンズ面から像面までの距離と、広角端におけるレンズ全長の比を適切にするためのものである。条件式（１０）の下限値を下回り、広角端におけるレンズ群ＬＲの最も像側のレンズ面から像面までの距離が短くなると、広角端において倍率色収差の補正が困難となる。一方、条件式（１０）の上限値を上回り、広角端におけるレンズ全長に対するレンズ群ＬＲの最も像側のレンズ面から像面までの距離が長くなると、レンズ群ＬＲよりも物体側のレンズ群の間隔が狭くなるため、球面収差をはじめとする諸収差の補正が困難となる。
【００５９】
条件式（１１）は、望遠端におけるレンズ群ＬＲの最も像側のレンズ面から像面までの距離と、望遠端におけるレンズ全長の比を適切にするためのものである。条件式（１１）の下限値を下回り、望遠端におけるレンズ群ＬＲの最も像側のレンズ面から像面までの距離が短くなると、レンズ群ＬＲの有効径が大きくなり、全系が大型化するため好ましくない。一方、条件式（１１）の上限値を上回り、望遠端におけるレンズ群ＬＲの最も像側のレンズ面から像面までの距離が長くなると、望遠端において倍率色収差をはじめとする軸外収差の補正が困難となる。
【００６０】
条件式（１２）は、レンズ群ＬＲの広角端から望遠端へのズーミングの際の移動量と、レンズ群ＬＲの焦点距離の比を適切にするためのものである。条件式（１２）の下限値を下回り、レンズ群ＬＲの移動量が小さくなると、レンズ群ＬＲの焦点距離が長くなるため、倍率色収差をはじめとする諸収差の補正や、必要とする変倍作用を得ることが困難となる。一方、条件式（１２）の上限値を上回り、レンズ群ＬＲの移動量が大きくなると、レンズ群ＬＲの焦点距離が短くなり、レンズ全長が長くなるため、好ましくない。
【００６１】
条件式（１３）は、望遠端における全系の焦点距離と、第１レンズ群Ｌ１の焦点距離の比を適切にするためのものである。条件式（１３）の下限値を下回り、第１レンズ群Ｌ１の焦点距離が長くなると、ズーミングの際に、必要な変倍比を得るため第１レンズ群Ｌ１の移動量を大きくしなければならない。この場合、レンズ全長が長くなるため好ましくない。一方、条件式（１３）の上限値を上回り、第１レンズ群Ｌ１の焦点距離が短くなると、望遠端における軸上色収差の補正が困難となる。
【００６２】
条件式（１４）は、広角端における全系の焦点距離と、第２レンズ群Ｌ２の焦点距離の比を適切にするためのものである。条件式（１４）の下限値を下回り、主変倍機能をもつ第２レンズ群Ｌ２の焦点距離が長くなると、諸収差の補正は容易となるが、レンズ全長が長くなるため好ましくない。一方、条件式（１４）の上限値を上回り、第２レンズ群Ｌ２の焦点距離が短くなると、広角端において像面湾曲や倍率色収差の補正が困難となる。
【００６３】
条件式（１５）は、広角端における全系の焦点距離と、レンズ群ＬＲの焦点距離の比を適切にするためのものである。条件式（１５）の下限値を下回り、レンズ群ＬＲの焦点距離が長くなると、レンズ群ＬＲによる変倍分担が減少し、第２レンズ群Ｌ２の変倍分担が増加する。このため、広角端において像面湾曲や倍率色収差の補正が困難となる。一方、条件式（１５）の上限値を上回り、レンズ群ＬＲの焦点距離が短くなると、レンズ全長が長くなるため、好ましくない。
【００６４】
更に好ましくは条件式（３）乃至（１５）の数値範囲を次の如く設定すると良い。
０．０１＜ＰΔθｇｆ＜０．１０                      ・・・（３ａ）
−０．１＜ＮΔθｇｆ＜０．０                        ・・・（４ａ）
０．１＜ＤＬＲｔ／ＤＬＲｗ＜０．４                  ・・・（５ａ）
０．２５＜−Ｍ１／ＴＬｗ＜０．４０                  ・・・（６ａ）
０．０５＜ＧＳＴｔ／ＧＳＴｗ＜０．１０              ・・・（７ａ）
０．５＜ＤＬＲｗ／ｆｗ＜０．９                      ・・・（８ａ）
０．０３０＜ＤＬＲｔ／ｆｔ＜０．１００              ・・・（９ａ）
０．２０＜ＤＬＲｗ／ＴＬｗ＜０．４０                ・・・（１０ａ）
０．０３＜ＤＬＲｔ／ＴＬｔ＜０．１０                ・・・（１１ａ）
０．１０＜ＭＲ／ｆＬＲ＜０．３８                    ・・・（１２ａ）
１．５＜ｆｔ／ｆ１＜２．２                          ・・・（１３ａ）
１．５＜ｆｗ／ｆ２＜２．５                          ・・・（１４ａ）
０．３５＜ｆｗ／ｆＬＲ＜０．６０                    ・・・（１５ａ）
【００６５】
更に好ましくは条件式（３）乃至（１５）の数値範囲を次の如く設定すると良い。
０．０１＜ＰΔθｇｆ＜０．０３                      ・・・（３ｂ）
−０．０１＜ＮΔθｇｆ＜０．００                    ・・・（４ｂ）
０．１５＜ＤＬＲｔ／ＤＬＲｗ＜０．４０              ・・・（５ｂ）
０．３０＜−Ｍ１／ＴＬｗ＜０．４０                  ・・・（６ｂ）
０．０５２＜ＧＳＴｔ／ＧＳＴｗ＜０．１００          ・・・（７ｂ）
０．５０＜ＤＬＲｗ／ｆｗ＜０．８８                  ・・・（８ｂ）
０．０３２＜ＤＬＲｔ／ｆｔ＜０．０８０              ・・・（９ｂ）
０．２０＜ＤＬＲｗ／ＴＬｗ＜０．３７                ・・・（１０ｂ）
０．０４＜ＤＬＲｔ／ＴＬｔ＜０．０８                ・・・（１１ｂ）
０．１０＜ＭＲ／ｆＬＲ＜０．３５                    ・・・（１２ｂ）
１．７＜ｆｔ／ｆ１＜２．１                          ・・・（１３ｂ）
１．７＜ｆｗ／ｆ２＜２．２                          ・・・（１４ｂ）
０．３５＜ｆｗ／ｆＬＲ＜０．５０                    ・・・（１５ｂ）
【００６６】
次に本発明のズームレンズを撮像光学系として用いたデジタルスチルカメラ（撮像装置）の実施例に関して図９を用いて説明する。図９において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００６７】
以上、本発明の好ましい実施形態について説明したが、本発明はこれらの実施形態に限定されず、その要旨の範囲内で種々の変形及び変更が可能である。
【００６８】
以下に、実施例１乃至４に各々対応する数値データ１乃至４を示す。各数値データにおいて、ｉは物体側から数えた面の順序を示す。ｒｉは各面の曲率半径、ｄｉは第ｉ面と第ｉ＋１面間のレンズ厚及び空気間隔、ｎｄｉとνｄｉはそれぞれ、ｄ線を基準とした光学材料の屈折率とアッベ数である。ｎｇ、ｎＣ、ｎＦはそれぞれ、ｇ線、Ｃ線、Ｆ線を基準とした光学材料の屈折率である。ＢＦはバックフォーカスである。
【００６９】
入射瞳位置は最も物体側のレンズ面（第１レンズ面）から入射瞳までの距離、射出瞳位置は最も像側のレンズ面（最終レンズ面）から射出瞳までの距離、前側主点位置は第１レンズ面から前側主点までの距離である。後側主点位置は最終レンズ面から後側主点までの距離で、各数値は近軸量であり、符号は物体側から像側の向きを正とする。また、前述の各条件式と数値データ１乃至４の関係をそれぞれ表１に示す。
【００７０】
［数値データ１］
単位 mm
面データ
面番号   r       d       nd        ng        nC      nF    νd   有効径
1    70.163   4.39   1.48749   1.49596   1.48534  1.49228 70.2  50.38
2   149.862   0.12                                              49.93
3    89.474   2.10   1.83481   1.85955   1.82898  1.84852 42.7  49.62
4    49.958   8.34   1.49700   1.50451   1.49514  1.50123 81.5  47.87
5  1553.003  (可変)                                             47.34
6   -81.216   1.30   1.72916   1.74570   1.72510  1.73844 54.7  25.26
7    64.934   2.86                                              24.31
8   -74.350   1.20   1.53775   1.54664   1.53555  1.54275 74.7  24.45
9    51.843   3.27   1.84666   1.89419   1.83649  1.87210 23.8  25.37
10   279.845  (可変)                                             25.60
11(絞り)  ∞   1.80                                              26.45
12   479.793   3.17   1.83481   1.85955   1.82898  1.84852 42.7  27.02
13   -59.835   0.20                                              27.21
14    57.596   5.50   1.49700   1.50451   1.49514  1.50123 81.5  26.70
15   -49.736   1.60   1.85478   1.90045   1.84488  1.87935 24.8  26.13
16  -404.470  (可変)                                             25.82
17    36.144   1.74   1.83481   1.85955   1.82898  1.84852 42.7  23.84
18    21.507   5.49   1.59522   1.60612   1.59255  1.60134 67.7  22.55
19    66.244   4.83                                              21.50
20   -57.170   3.06   1.84666   1.89419   1.83649  1.87210 23.8  20.49
21   -48.438  (可変)                                             20.47
22   144.590   4.29   1.67003   1.68796   1.66579  1.67997 47.2  18.96
23   -25.265   1.50   1.64000   1.65310   1.63673  1.64738 60.1  18.92
24    30.097  (可変)                                             18.76
25  -863.185   7.08   1.53775   1.54664   1.53555  1.54275 74.7  41.31
26   -46.874   0.15                                              41.82
27   -54.250   3.00   1.77250   1.79197   1.76780  1.78337 49.6  41.63
28   -83.777  (可変)                                             42.70
像面   ∞   
【００７１】
各種データ
ズーム比    4.11 
広角    中間    望遠
焦点距離     71.53   132.28  293.70  
Fナンバー     4.16     5.18    5.83  
半画角（度） 16.83     9.29    4.21  
像高         21.64    21.64   21.64  
レンズ全長  179.52   216.99  250.81  
BF           48.94    22.62   18.05  
d 5           2.53    40.00   73.82  
d10          32.65    22.64    3.03  
d16          14.22     1.85    6.24  
d21           4.65    10.32    5.10  
d24           9.55    52.58   77.59  
d28          48.94    22.62   18.05  
入射瞳位置   42.03   117.33   213.61  
射出瞳位置  -57.93  -161.99  -298.19  
前側主点位置 65.68   154.83   234.55  
後側主点位置-22.59  -109.65  -275.65  
ズームレンズ群データ
群  始面   焦点距離  レンズ構成長  前側主点位置  後側主点位置
1   1     164.50     14.95        -2.05        -11.72
2   6     -40.14      8.63         1.09         -5.00
3   11     51.03     12.27         2.56         -5.64
4   17    153.30     15.12         1.47        -10.10
5   22    -66.27      5.79         4.70          1.14
6   25    169.20     10.23         7.58          1.18
単レンズデータ
レンズ  始面    焦点距離
1      1      265.84
2      3     -138.86
3      4      103.67
4      6      -49.30
5      8      -56.61
6      9       74.67
7     12       63.90
8     14       54.63
9     15      -66.48
10     17      -67.25
11     18       51.16
12     20      322.69
13     22       32.43
14     23      -21.24
15     25       91.89
16     27     -208.49
【００７２】
［数値データ２］
単位 mm
面データ
面番号   r       d       nd        ng        nC      nF    νd   有効径
1    79.931   4.85   1.48749   1.49596   1.48534  1.49228 70.2  51.93
2   156.767   0.12                                              50.80
3    99.454   2.10   1.83481   1.85955   1.82898  1.84852 42.7  50.17
4    52.613   8.58   1.49700   1.50451   1.49514  1.50123 81.5  47.97
5  -370.522  (可変)                                             47.63
6  -127.831   1.30   1.69680   1.71234   1.69297  1.70552 55.5  26.84
7    60.699   3.53                                              26.14
8   -64.000   1.20   1.59522   1.60612   1.59255  1.60134 67.7  26.25
9    56.410   2.94   1.84666   1.89419   1.83649  1.87210 23.8  27.27
10   425.134  (可変)                                             27.47
11(絞り)  ∞   2.20                                              28.20
12   134.249   3.59   1.83481   1.85955   1.82898  1.84852 42.7  29.14
13   -83.442   0.20                                              29.24
14    43.479   6.09   1.49700   1.50451   1.49514  1.50123 81.5  28.55
15   -59.625   1.60   1.85478   1.90045   1.84488  1.87935 24.8  27.86
16   151.192   17.11                                             27.17
17    38.768   4.61   1.90366   1.94128   1.89526  1.92412 31.3  23.93
18   -75.723   0.40                                              23.21
19   -72.761   1.10   1.76200   1.78634   1.75639  1.77539 40.1  22.71
20    19.927   3.51   1.59522   1.60612   1.59255  1.60134 67.7  20.51
21    26.829  (可変)                                             19.54
22   108.259   2.00   1.85478   1.90045   1.84488  1.87935 24.8  42.26
23    82.813   6.00   1.53775   1.54664   1.53555  1.54275 74.7  42.10
24  -582.309  (可変)                                             42.20
25   -45.326   3.00   1.48749   1.49596   1.48534  1.49228 70.2  42.23
26   -45.902  10.38                                              43.20
像面   ∞   
【００７３】
各種データ
ズーム比    4.08 
広角    中間     望遠
焦点距離     71.92  132.50  293.26  
Fナンバー     3.99    4.27    5.83  
半画角（度） 16.74    9.27    4.22  
像高         21.64   21.64   21.64  
レンズ全長  190.00  227.93  262.15  
BF           10.38   10.38   10.38  
d 5           2.97   45.17   65.43  
d10          36.35   23.50    2.57  
d21          24.65   39.61  100.82  
d24          39.62   33.22    6.92  
入射瞳位置    45.53   137.72   176.25  
射出瞳位置  -116.01  -139.96  -369.91  
前側主点位置  76.53   153.44   243.36  
後側主点位置 -61.53  -122.12  -282.88  
ズームレンズ群データ
群  始面   焦点距離  レンズ構成長  前側主点位置  後側主点位置
1   1     158.10     15.65          0.50       -9.83
2   6     -41.20      8.97          1.63       -4.92
3   11     53.43     40.41        -11.01      -32.55
4   22    199.97      8.00          0.10       -4.90
5   25    10488.71    3.00        224.66      227.52
単レンズデータ
レンズ  始面  焦点距離
1      1   327.75
2      3  -136.60
3      4    93.33
4      6   -58.90
5      8   -50.19
6      9    76.54
7     12    62.11
8     14    51.60
9     15   -49.85
10     17    28.93
11     19   -20.42
12     20   109.37
13     22  -427.66
14     23   135.25
15     25 10488.71
【００７４】
［数値データ３］
単位 mm
面データ
面番号   r       d       nd        ng        nC      nF    νd   有効径
1    89.253   5.03   1.48749   1.49596   1.48534  1.49228 70.2  52.30
2   427.587   0.12                                              51.52
3   141.616   2.10   1.61340   1.63091   1.60925  1.62311 44.3  50.62
4    46.741   9.35   1.49700   1.50451   1.49514  1.50123 81.5  47.60
5  -604.302  (可変)                                             47.11
6  -157.564   1.30   1.53775   1.54664   1.53555 1.54275  74.7  25.90
7    50.187   3.37                                              24.65
8   -58.174   1.20   1.71300   1.72943   1.70897 1.72221  53.9  24.66
9    45.697   3.40   1.84666   1.89419   1.83649 1.87210  23.8  25.45
10   326.793  (可変)                                             25.69
11(絞り)   ∞  1.65                                              26.60
12   139.078   3.29   1.83481   1.85955   1.82898 1.84852  42.7  27.29
13   -76.489   0.20                                              27.39
14    43.362   5.98   1.49700   1.50451   1.49514 1.50123  81.5  26.77
15   -54.284   1.60   1.85478   1.90045   1.84488 1.87935  24.8  26.02
16   189.421  18.13                                              25.43
17    43.960   4.00   1.91650   1.95418   1.90803 1.93703  31.6  21.82
18   -53.736   0.20                                              21.29
19   -52.206   1.10   1.76200   1.78634   1.75639 1.77539  40.1  21.04
20    21.398   3.00   1.53775   1.54664   1.53555 1.54275  74.7  19.22
21    29.927  (可変)                                             19.23
22    64.912   6.00   1.53775   1.54664   1.53555 1.54275  74.7  43.42
23  -885.888   2.00   1.69680   1.71234   1.69297 1.70552  55.5  43.25
24    57.871   0.86                                              42.78
25    64.586   7.00   1.59522   1.60612   1.59255 1.60134  67.7  42.98
26   4057.915  (可変)                                            43.01
像面   ∞   
【００７５】
各種データ
ズーム比    4.07 
広角     中間     望遠
焦点距離     71.74   134.88   292.31  
Fナンバー     4.16     4.35     5.83  
半画角（度） 16.78     9.11     4.23  
像高         21.64    21.64    21.64  
レンズ全長  188.23   225.23   258.63  
BF           54.35    46.83    20.13  
d 5            1.80   43.26   61.87  
d10           32.56   20.97    1.86  
d21           18.64   33.30   93.89  
d26           54.35   46.83   20.13  
入射瞳位置    43.43   139.73   178.25  
射出瞳位置   -64.63   -91.28  -315.85  
前側主点位置  71.91   142.89   216.25  
後側主点位置 -17.39   -88.05  -272.18  
ズームレンズ群データ
群  始面   焦点距離  レンズ構成長  前側主点位置  後側主点位置
1   1    144.04      16.60        1.22       -9.90
2   6    -37.33       9.27        2.40       -4.24
3   11     52.13      39.15      -9.63      -32.29
4   22    188.90      15.86      -1.55      -11.86
単レンズデータ
レンズ  始面  焦点距離
1      1   230.26
2      3  -114.71
3      4    87.71
4      6   -70.63
5      8   -35.72
6      9    62.40
7     12    59.53
8     14    49.51
9     15   -49.21
10     17    26.91
11     19   -19.79
12     20   124.33
13     22   112.72
14     23   -77.89
15     25   110.19
【００７６】
［数値データ４］
単位 mm
面データ
面番号   r       d       nd        ng        nC      nF    νd   有効径
1    63.555   4.59   1.48749   1.49596   1.48534  1.49228 70.2  51.72
2   133.519   0.12                                              51.12
3    81.505   2.10   1.83481   1.85955   1.82898  1.84852 42.7  50.50
4    43.596   9.46   1.49700   1.50451   1.49514  1.50123 81.5  47.88
5 -1279.295  (可変)                                             47.19
6   -87.766   1.30   1.53775   1.54664   1.53555  1.54275 74.7  23.78
7    58.530   1.92                                              22.25
8  -112.346   1.20   1.71300   1.72943   1.70897  1.72221 53.9  22.08
9    25.433   2.96   1.85478   1.90045   1.84488  1.87935 24.8  21.66
10    66.840  (可変)                                             21.65
11(絞り)   ∞   1.39                                             23.26
12   110.720   3.20   1.83481   1.85955   1.82898  1.84852 42.7  23.90
13   -70.980   0.20                                              24.01
14    43.152   5.50   1.49700   1.50451   1.49514  1.50123 81.5  23.55
15   -35.246   1.60   1.85478   1.90045   1.84488  1.87935 24.8  22.98
16   1248.549  (可変)                                            22.63
17   274.506   1.57   1.91650   1.95418   1.90803  1.93703 31.6  21.67
18   677.357   0.15                                              21.49
19    24.637   1.20   1.85478   1.90045   1.84488  1.87935 24.8  20.99
20    22.330   1.55                                              20.30
21    40.568   3.49   1.53775   1.54664   1.53555  1.54275 74.7  20.24
22   -70.410  (可変)                                             19.83
23   -67.910   1.90   1.91650   1.95418   1.90803  1.93703 31.6  18.95
24   -29.004   1.50   1.59522   1.60612   1.59255  1.60134 67.7  18.79
25    26.170  (可変)                                             17.23
26   228.776   6.42   1.59522   1.60612   1.59255  1.60134 67.7  42.24
27   -62.606   3.00   1.69680   1.71234   1.69297  1.70552 55.5  42.45
28   -127.127  (可変)                                            43.19
像面   ∞   
【００７７】
各種データ
ズーム比     4.08 
広角    中間    望遠
焦点距離      71.75   137.77   292.93  
Fナンバー      4.16     4.95     5.83  
半画角（度）  16.78     8.92     4.22  
像高          21.64    21.64    21.64  
レンズ全長   170.06   201.71   230.26  
BF            61.91    33.64     9.91  
d 5           9.30    40.95     69.50  
d10          25.85    13.81      2.38  
d16           5.72     1.30      4.12  
d22           1.41     4.47      0.85  
d25           9.55    51.22     87.18  
d28          61.91    33.64      9.91  
入射瞳位置   52.22   122.10    228.58  
射出瞳位置  -40.31  -130.83   -343.65  
前側主点位置 73.61   144.46    278.82  
後側主点位置 -9.84  -104.13   -283.02  
ズームレンズ群データ
群  始面   焦点距離  レンズ構成長  前側主点位置  後側主点位置
1    1    142.43      16.27        -1.11        -11.74
2    6    -33.52       7.38         2.39         -2.54
3   11     47.52      11.89         0.59         -7.01
4   17     51.37       7.96         2.83         -2.74
5   23    -39.42       3.40         1.29         -0.61
6   26    156.00       9.42         3.94         -1.91
単レンズデータ
レンズ  始面  焦点距離
1      1   243.56
2      3  -115.18
3      4    85.03
4      6   -65.09
5      8   -28.98
6      9    46.50
7     12    52.23
8     14    39.97
9     15   -40.08
10     17   502.67
11     19  -366.80
12     21    48.39
13     23    53.98
14     24   -22.88
15     26    83.27
16     27   -180.47
【００７８】
【表１】
2019028212.tif 000003
【符号の説明】
【００７９】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
Ｌ６  第６レンズ群      ＳＰ  開口絞り      ＧＬＲ  後群      ＬＲ  レンズ群
【図１】
2019028212.tif 000004
【図２】
2019028212.tif 000005
【図３】
2019028212.tif 000006
【図４】
2019028212.tif 000007
【図５】
2019028212.tif 000008
【図６】
2019028212.tif 000009
【図７】
2019028212.tif 000010
【図８】
2019028212.tif 000011
【図９】
2019028212.tif 000012